(57)【要約】【課題】撮影者や撮影監督者等が意図する画像をポストプロダクションの場において、より迅速且つ正確に再現する。【解決手段】この現像装置は、撮像を行いＲＡＷデータを生成する撮像部と、撮像時に自動的に生成される第１のメタデータを取得する第１のメタデータ取得部と、撮像後に表示部に表示されたＲＡＷデータに基づく画像に対してユーザにより設定された情報を含む第２のメタデータを取得する第２のメタデータ取得部とを備え、第１のメタデータ取得部は、撮像時のISO感度を第１のメタデータとして取得し、第２のメタデータ取得部は、画像の色に関する設定情報を第２のメタデータとして取得する。【選択図】図１
2018201250.tif 000002
【特許請求の範囲】
【請求項１】
撮像を行いＲＡＷデータを生成する撮像部と、
前記撮像時に自動的に生成される第１のメタデータを取得する第１のメタデータ取得部と、
前記撮像後に表示部に表示された前記ＲＡＷデータに基づく画像に対してユーザにより設定された情報を含む第２のメタデータを取得する第２のメタデータ取得部とを備え、
前記第１のメタデータ取得部は、前記撮像時のISO感度を前記第１のメタデータとして取得し、
前記第２のメタデータ取得部は、画像の色に関する設定情報を前記第２のメタデータとして取得する
撮像装置。
【請求項２】
前記ＲＡＷデータに基づく画像に対する設定としてユーザが選択するための情報が、前記ＲＡＷデータに基づく画像とともに前記表示部に表示される
請求項１に記載の撮像装置。
【請求項３】
前記ＲＡＷデータに基づく画像に対する設定としてユーザにより選択された情報とともに、前記ユーザにより選択された情報が反映された画像が前記表示部に表示される
請求項２に記載の撮像装置。
【請求項４】
前記ユーザが選択するための情報に対するユーザ操作に応じて、前記ユーザ操作がリアルタイムに反映された画像が前記表示部に表示される
請求項２に記載の撮像装置。
【請求項５】
前記第２のメタデータ取得部は、ユーザによるボタン操作により前記第２のメタデータを取得する
請求項１から４のうちいずれかの１つに記載の撮像装置。
【請求項６】
前記第２のメタデータ取得部は、ユーザによるアップ／ダウンボタン操作により前記第２のメタデータを取得する
請求項５に記載の撮像装置。
【請求項７】
前記第２のメタデータは、外部の画像処理装置での画像処理のための情報である
請求項１から６のうちいずれかの１つに記載の撮像装置。
【請求項８】
前記画像の色に関する設定情報は、ＡＳＣ−ＣＤＬ（The American Society of Cinematographers Color Decision List）である
請求項１から７のうちいずれかの１つに記載の撮像装置。
【請求項９】
前記第２のメタデータ取得部は、前記ＲＡＷデータに基づく画像の有効エリアに関する情報を前記第２のメタデータとして取得する
請求項１から８のうちいずれかの１つに記載の撮像装置。
【請求項１０】
前記第２のメタデータ取得部は、照度計からの測定値を取得して露出指標値に変換する照度取得部を有する
請求項１から９のうちいずれかの１つに記載の撮像装置。
【請求項１１】
前記第２のメタデータは、前記外部の画像処理装置において表示するための画像データに対して自動的に反映される
請求項７に記載の撮像装置。
【請求項１２】
前記ＲＡＷデータに対して補間処理を行う変換部をさらに有する
請求項１から１１のうちいずれかの１つに記載の撮像装置。
【請求項１３】
前記ＲＡＷデータに基づく画像の色を修正するための処理を行う色修正部をさらに有する
請求項１から１１のうちいずれかの１つに記載の撮像装置。
【請求項１４】
前記色修正部は、前記画像の色に関する設定情報を含む前記第２のメタデータをもとに、前記ＲＡＷデータに基づく画像の色を修正するための処理を行う
請求項１３に記載の撮像装置。
【請求項１５】
撮像部の撮像により生成されたＲＡＷデータを取得し、
第１のメタデータ取得部が、前記撮像時に自動的に生成されるISO感度を第１のメタデータとして取得し、
第２のメタデータ取得部が、前記撮像後に表示部に表示された前記ＲＡＷデータに基づく画像に対してユーザにより設定された、前記画像の色に関する設定情報を第２のメタデータとして取得する
画像処理方法。
【発明の詳細な説明】
【技術分野】
【０００１】
本技術は、ＲＡＷ撮影を行う撮像装置およびこの撮像装置により撮影されたＲＡＷデータに対するポストプロダクションを行うポストプロダクション装置に関する。
【背景技術】
【０００２】
撮影された映像素材を含む様々な映像シーンが連結して構成される映像コンテンツの作成工程では、カメラを用いてシーンを撮像する作業、撮像された画像ソースを後処理（ポストプロダクション処理）する作業が順次行われる。これらの作業を効率的に行うためのコンテンツ作成システムが提案されている（たとえば、特許文献１参照）。
【０００３】
特許文献１に記載のコンテンツ作成システムでは、ポストプロダクション処理において、撮影時に設定されるカメラ設定値と、映像を調整する効果補正値との２種類の補正パラメータが用いられる。カメラ設定値は、撮影時における設定値で、たとえば、露出、ホワイトバランス、ガンマ補正、カラー調整など、カメラの各機能を設定する値を含む。一方、効果補正値は、所望の画質を得るために撮影後の映像の補正に用いられる設定値である。たとえば、露出、ホワイトバランス、ガンマ補正、３Ｄ効果、トリミング、ズームなど、映像の効果に関する属性を調整する値を含む。ポストプロダクション処理時には、ユーザが操作入力部を介して設定した補正パラメータ値や、データベースに蓄積されている過去の編集情報に設定されている補正パラメータ値などが使われる。
【先行技術文献】
【特許文献】
【０００４】
【特許文献１】特開２００７−４３３７３号公報（段落番号〔００７６〕〜〔０１１３〕、図１４〜図１６）
【発明の概要】
【発明が解決しようとする課題】
【０００５】
近年、撮影現場において撮像装置に各種のパラメータを与えることで、現像後の画像を確認することができるようになってきている。さらには、撮像装置で用いたパラメータをポストプロダクション装置の側にＲＡＷデータと共にメタデータとして伝送してポストプロダクションでの現像に反映させる仕組みが検討されている。
【０００６】
本技術は、撮像装置で用いたパラメータをポストプロダクション装置の側にＲＡＷデータと共にメタデータとして伝送してポストプロダクションでの現像に反映させる仕組みのさらなる高機能化を実現して、撮影者や撮影監督者等が意図する画像をポストプロダクションの場において、より迅速且つ正確に再現することができ、ポストプロダクションの作業効率の向上を図ることのできる撮像装置および画像処理装置を提供することにある。
【課題を解決するための手段】
【０００７】
上記の課題を解決するために、本技術に係る撮像装置は、
撮像を行いＲＡＷデータを生成する撮像部と、
前記生成されたＲＡＷデータを補間により画像データに変換する第１の変換部と、
撮影環境の照度に対応した露出指標値を取得する取得部と、
前記画像データの値を前記露出指標値をもとに補正する第１の補正部と、
前記ＲＡＷデータと前記取得された露出指標値とを互いに関連付けて出力する出力部とを具備する。
【０００８】
前記取得部は、照度計からの測定値を取得して前記露出指標値に変換する照度取得部を有するものであってよい。
【０００９】
前記取得部は、画像データのポストプロダクションのための有効エリアに関する情報をさらに取得し、
前記出力部は、前記ＲＡＷデータと前記取得された有効エリアに関する情報とを互いに関連付けて出力するようにしてもよい。
【００１０】
前記取得部は、画像データの色修正のための情報をさらに取得し、
前記出力部は、前記ＲＡＷデータと前記取得された色修正のための情報とを互いに関連付けて出力するようにしてもよい。
【００１１】
前記色修正のための情報はＡＳＣ−ＣＤＬ（The American Society of Cinematographers Color Decision List）とすることができる。
【００１２】
上記の課題を解決するために、本技術に係る画像処理装置は、
撮像装置より出力されたＲＡＷデータおよびこのＲＡＷデータに関連する露出指標値とを入力する入力部と、
前記ＲＡＷデータを補間により画像データに変換する第２の変換部と、
前記画像データの値を前記露出指標値をもとに補正する第２の補正部と
を具備する。
【００１３】
前記入力部は、画像データのポストプロダクションのための有効エリアに関する情報をさらに入力し、
上記の画像処理装置は、前記有効エリアに関する情報をもとに前記画像データから前記有効エリアに相当する部分を切り出す切り出し部をさらに具備するものであってよい。
【００１４】
前記入力部は、前記画像データの色修正のための情報をさらに入力し、
上記の画像処理装置は、前記色修正のための情報をもとに前記画像データの色修正を行う色修正部をさらに具備するものであってよい。
【００１５】
前記色修正のための情報はＡＳＣ−ＣＤＬ（The American Society of Cinematographers Color Decision List）とすることができる。
【発明の効果】
【００１６】
以上のように、本技術によれば、撮影者や撮影監督者等が意図する画像をポストプロダクションの場において、より迅速且つ正確に再現することができ、ポストプロダクションの作業効率の向上を図ることができる。
【図面の簡単な説明】
【００１７】
【図１】本技術に係る一実施形態の撮像装置の構成を示すブロック図である。
【図２】本技術に係る一実施形態のポストプロダクション装置の構成を示すブロック図である。
【図３】照度測定値（ｄＢ）とＥＩとの対応表を示す図である。
【図４】ＥＩを用いたゲイン調整を説明する図である。
【図５】エフェクティブマーカのメタデータ構造を示す図である。
【図６】エフェクティブマーカを用いた処理を説明する図である。
【図７】ＡＳＣ−ＣＤＬを設定するためのグラフィカルユーザインタフェースの例を示す図である。
【発明を実施するための形態】
【００１８】
以下、本技術に係る実施形態を説明する。
本実施形態は、ＲＡＷ撮像記録を行う撮像装置と、この撮像装置によって撮像されたＲＡＷデータとこのＲＡＷデータに対する現像用のメタデータを取得してポストプロダクションを行うポストプロダクション装置に関する。
【００１９】
この撮像装置では、カメライメージャにより撮像されたＲＡＷデータに対して色補間処理、増感／減感処理、ゲイン調整、色調整などが行われることによって得られた画像データを撮影現場の撮影者や撮影監督者等がリアルタイムで確認することができるように、当該画像データを撮像装置に接続されたモニターや、撮像装置に設けられたビューファインダに表示させることができる。撮影者や撮影監督者等は、モニターやビューファインダに表示された画像データを確認しつつ、当該画像データに対する現像用の各種のパラメータをメタデータの一部として設定することができる。
【００２０】
ここで、メタデータには、
１．ポストプロダクション装置において自動的に画像データに反映されるもの。
２．ポストプロダクション装置において画像データに対して任意に反映されるもの。すなわち、撮影現場の撮影者や撮影監督者等がポストプロダクションを行う作業者に対して「このように現像して欲しい」といった推奨的なメタデータとがある。
前者を「第１のメタデータ」、後者を「第２のメタデータ」と呼び分けることとする。
【００２１】
第１のメタデータには、さらに、使用するカメライメージャの種類に対応して一意に決まるパラメータと、撮影時に人為的に設定されたパラメータとがある。
【００２２】
そして撮像装置は、ＲＡＷデータと上記のメタデータとを互いに関連付けてポストプロダクション装置に伝送する。
【００２３】
ポストプロダクション装置では、撮像装置より伝送されたＲＡＷデータとメタデータを取得し、ＲＡＷデータの現像に対して第１のメタデータが自動的に反映され、その結果がポストプロダクション装置に接続されたモニターに表示される。また、第２のメタデータは、ポストプロダクションの作業者からの指示のもとＲＡＷデータの現像に適宜反映される。これにより撮影者や撮影監督者等が意図する画像データおよび推奨される画像データをポストプロダクションの場において再現することができる。
【００２４】
上記の第１のメタデータとしては、例えば以下がある。
１．撮影ガンマ（Capture Gamma Equation）
撮影ガンマには、例えば、Scene Linear、Cine-Log、そしてソニーが開発したS-Logなどがある。
２．ホワイトバランス（White Balance）
３．イメージャ感度（ISO Sensitivity）
４．ＲＡＷデータのブラック／グレー／ホワイトの値（RAW Code Value）
５．ＣＤＬ適用ガンマ（Gamma For CDL）
ここで撮影ガンマ、ＲＡＷデータのブラック／グレー／ホワイトの値、ＣＤＬ適用ガンマは、撮像装置に使用されたカメライメージャの種類によって一意に決まるパラメータである。ホワイトバランスとイメージャ感度は撮影時に撮影者等によって選択されたデータである。
【００２５】
上記の第２のメタデータとしては、例えば以下がある。
１．ＥＩ（Exposure Index Of Photo Meter）
ＥＩは、照度計から得られた照度に対応する露出指標値である。このＥＩとイメージャ感度の値をもとに画像データに対するゲイン調整などの処理が行われる。
【００２６】
２．エフェクティブマーカ（Effective Marker）
エフェクティブマーカは、撮影された画像データの中で撮影現場の撮影者や撮影監督者等が意図する有効エリアを特定するための情報である。ポストプロダクション装置では、このエフェクティブマーカの情報をもとに画像データから有効な領域の切り出しなどが行われる。
【００２７】
３．ＡＳＣ−ＣＤＬ（The American Society of Cinematographers Color Decision List）
ＡＳＣ−ＣＤＬは、全米映画撮影監督協会（ＡＳＣ）によって定義された色修正のための情報である。ＡＳＣ−ＣＤＬでは、色をＲＧＢ毎にオフセット（入力ゼロ時の出力値）、スロープ（入出力のゲイン）、パワー（入出力のガンマーカブ特性）の３つのパラメータによって定義される。
【００２８】
これらの第２のメタデータは、いずれも撮影現場の撮影者や撮影監督者等によって適宜選択される。撮像装置では、これら第２のメタデータが反映された画像をモニターを通して見ることができる。
【００２９】
撮像装置で設定された第１のメタデータおよび第２のメタデータは、例えば、ＸＭＬ（Extensible Markup Language）形式などのファイルとしてまとめられ、ＲＡＷデータのファイルと関連付けて、ストレージに保存、あるいは通信媒体を通じてポストプロダクション装置などに伝送される。
【００３０】
以下、本技術に係る第１の実施形態を図面をもとに説明する。
［撮像装置］
図１は本技術に係る一実施形態の撮像装置１００の構成を示すブロック図である。
同図に示すように、本実施形態の撮像装置１００は、カメライメージャ１０１、ＲＡＷファイル書き出し部１０２、第１のディベイヤ処理部１０３、第１の増感／減感・ゲイン調整・カラースペース変換部１０４、第１のＩＤＴ（Input Device Transform）処理部１０５、第１の色修正部１０６、第１のＯＤＴ（Onput Device Transform）処理部１０７、エフェクティブマーカ合成部１０８、第１のメタデータ取得部１０９、第２のメタデータ取得部１１０、および伝送部１１１を有する。
【００３１】
撮像装置１００は、その他のハードウェア的な構成として、ＣＰＵ（Central Processing Unit）、ＲＯＭ（Read Only Memory）、メインメモリ、ストレージ、ネットワークＩ／Ｆなどのコンピュータシステムを有する。メインメモリおよびストレージには、ＣＰＵにより実行されるプログラムが格納される。ＣＰＵはそのプログラムを実行することで、コンピュータシステムを、ＲＡＷファイル書き出し部１０２、第１のディベイヤ処理部１０３、第１の増感／減感・ゲイン調整・カラースペース変換部１０４、第１のＩＤＴ処理部１０５、第１の色修正部１０６、第１のＯＤＴ処理部１０７、エフェクティブマーカ合成部１０８、第１のメタデータ取得部１０９、第２のメタデータ取得部１１０、および伝送部１１１として動作させる。
【００３２】
カメライメージャ１０１（撮像部）は、ＲＡＷ撮影用のイメージャであり、例えばＣＭＯＳ（Complementary Metal Oxide Semiconductor）などである。
ＲＡＷファイル書き出し部１０２は、カメライメージャ１０１により得られたＲＡＷデータをそのままファイル１２０に書き出す。
【００３３】
第１のディベイヤ処理部１０３（第１の変換部）は、ＲＡＷデータに対して色補間などを行うことによってＲＧＢ画像（画像データ）を生成する。
【００３４】
第１の増感／減感・ゲイン調整・カラースペース変換部１０４（第１の補正部）は、第１のディベイヤ処理部１０３により変換された画像データに対して増感処理及び減感処理などを行う。第１の増感／減感・ゲイン調整・カラースペース変換部１０４は、増感処理及び減感処理が施された画像データに対して、第１のメタデータ取得部１０９より取得された第１のメタデータに属するホワイトバランス（White Balance）およびイメージャ感度（ISO Sensitivity）と、第２のメタデータ取得部１１０にて取得された第２のメタデータに属するＥＩ（Exposure Index Of Photo Meter）をもとにゲイン調整を行い、画像データのカラースペースをカメライメージャ１０１のカラースペースから標準のカラースペースに変換する。
【００３５】
第１のＩＤＴ処理部１０５は、第１の増感／減感・ゲイン調整・カラースペース変換部１０４より出力された画像データを、第１のメタデータ取得部１０９より取得された第１のメタデータにそれぞれ属する撮影ガンマ（Capture Gamma Equation）およびＣＤＬ適用ガンマ（Gamma For CDL）をもとに、ＡＳＣ−ＣＤＬを用いた色調整のための値に変換する。
【００３６】
第１の色修正部１０６は、第１のＩＤＴ処理部１０５によって変換された画像データに第２のメタデータ取得部１１０により取得したＡＳＣ−ＣＤＬを適用して色の修正を行う。
【００３７】
第１のＯＤＴ処理部１０７は、第１の色修正部１０６により色修正された画像データのカラースペースを撮像装置１００に接続されたモニターのカラースペースに変換して当該モニターに出力する。
【００３８】
エフェクティブマーカ合成部１０８は、第１の増感／減感・ゲイン調整・カラースペース変換部１０４より出力された画像データに、第２のメタデータ取得部１１０により取得されたエフェクティブマーカ（Effective Marker）のグラフィックスを合成してビューファインダに出力する。
【００３９】
第１のメタデータ取得部１０９は、第１のメタデータである撮影ガンマ、ホワイトバランス、ＲＡＷデータのブラック／グレー／ホワイトの値、ＣＤＬ適用ガンマを取得して、カメライメージャ１０１、第１の増感／減感・ゲイン調整・カラースペース変換部１０４、第１のＩＤＴ処理部１０５、第１の色修正部１０６に供給する。
【００４０】
第２のメタデータ取得部１１０は、第２のメタデータであるＥＩ、エフェクティブマーカ（Effective Marker）、ＡＳＣ−ＣＤＬを取得して、第１の増感／減感・ゲイン調整・カラースペース変換部１０４、エフェクティブマーカ合成部１０８、第１の色修正部１０６に供給する。
【００４１】
第２のメタデータ取得部１１０は、ＥＩを取得するＥＩ取得部１１２（照度取得部）を有する。ＥＩ取得部１１２は、照度計１１３より有線または無線で送信された測定値をリアルタイムに取得し、露出指標値であるＥＩ（Exposure Index of Photo Meter）の値に変換する。また、第２のメタデータ取得部１１０は、グラフィカルユーザインタフェース（ＧＵＩ）１１４を有する。グラフィカルユーザインタフェース（ＧＵＩ）１１４を通じて撮影者や撮影監督などより入力されたエフェクティブマーカ（Effective Marker）およびＡＳＣ−ＣＤＬを受け付けることによってこれらを取得する。
【００４２】
伝送部１１１（出力部）は、撮像装置１００にて得られたＲＡＷデータおよびメタデータとを互いに関連付けて後段の処理環境（ポストプロダクション装置２００など）へ伝送する。
【００４３】
［ポストプロダクション装置］
図２は本技術に係る一実施形態のポストプロダクション装置２００の構成を示すブロック図である。
同図に示すように、本実施形態のポストプロダクション装置２００（画像処理装置）は、ＲＡＷデータ・メタデータ取得部２０１、第２のディベイヤ処理部２０２、第２の増感／減感・ゲイン調整・カラースペース変換部２０３、第２のＩＤＴ処理部２０４、第２の色修正部２０５、エフェクティブマーカ処理部２０６、および第２のＯＤＴ処理部２０７を有する。
【００４４】
ポストプロダクション装置２００は、その他のハードウェア的な構成として、ＣＰＵ（Central Processing Unit）、ＲＯＭ（Read Only Memory）、メインメモリ、ストレージ、ネットワークＩ／Ｆ、モニター、マウスやキーボードなどの入力装置などのコンピュータシステムを有する。メインメモリおよびストレージには、ＣＰＵにより実行されるプログラムが格納される。ＣＰＵはそのプログラムを実行することで、コンピュータシステムを、ＲＡＷデータ・メタデータ取得部２０１、第２のディベイヤ処理部２０２、第２の増感／減感・ゲイン調整・カラースペース変換部２０３、第２のＩＤＴ処理部２０４、第２の色修正部２０５、エフェクティブマーカ処理部２０６、および第２のＯＤＴ処理部２０７として動作させる。
【００４５】
ＲＡＷデータ・メタデータ取得部２０１（入力部）は、撮像装置１００より伝送されたＲＡＷファイルおよびメタデータを取得する。
【００４６】
第２のディベイヤ処理部２０２（第２の変換部）は、撮像装置１００と同様、ＲＡＷデータに対して色補間などを行うことによってＲＧＢ画像（画像データ）を生成する。
【００４７】
第２の増感／減感・ゲイン調整・カラースペース変換部２０３（第２の補正部）は、第２のディベイヤ処理部２０２により変換されたＲＧＢ画像（画像データ）に対して増感処理及び減感処理などを行う。第２の増感／減感・ゲイン調整・カラースペース変換部２０３は、増感処理及び減感処理が施された画像データに対して、ＲＡＷデータ・メタデータ取得部２０１によって取得された第１のメタデータに属するホワイトバランス（White Balance）およびイメージャ感度（ISO Sensitivity）と、第２のメタデータに属するＥＩ（Exposure Index Of Photo Meter）をもとにゲイン調整を行い、画像データのカラースペースを撮像装置１００のカメライメージャ１０１のカラースペースから標準のカラースペースに変換する。
【００４８】
第２のＩＤＴ処理部２０４は、第２の増感／減感・ゲイン調整・カラースペース変換部２０３より出力された画像データを、ＲＡＷデータ・メタデータ取得部２０１によって取得された第１のメタデータにそれぞれ属する撮影ガンマ（Capture Gamma Equation）およびＣＤＬ適用ガンマ（Gamma For CDL）をもとに、ＡＳＣ−ＣＤＬを用いた色修正のための値に変換する。
【００４９】
第２の色修正部２０５（色修正部）は、第２のＩＤＴ処理部２０４によって変換された画像データにＲＡＷデータ・メタデータ取得部２０１により取得したＡＳＣ−ＣＤＬを適用して色の修正を行う。
【００５０】
エフェクティブマーカ処理部２０６（切り出し部）は、第２の色修正部２０５によって色修正が施された画像データから、ＲＡＷデータ・メタデータ取得部２０１により取得された第２のメタデータに属するエフェクティブマーカ（Effective Marker）をもとに有効エリアの切り出し、リサイズなどの処理を行う。
【００５１】
第２のＯＤＴ処理部２０７は、エフェクティブマーカ処理部２０６によって切り出し、リサイズなどが施された画像データのカラースペースをポストプロダクション装置２００に接続されたモニターのカラースペースに変換して当該モニターに出力する。
【００５２】
［第２のメタデータに基づく処理について］
本実施形態では、撮像装置１００において、ＥＩ、エフェクティブマーカ、ＡＳＣ−ＣＤＬが、ＲＡＷデータの現像処理に反映させることを推奨する目的の第２のメタデータとして設定され、ＲＡＷデータおよび第１のメタデータと共にポストプロダクション装置２００に伝送される。したがって、撮像装置１００とポストプロダクション装置２００のそれぞれにおいて、同一の第２のメタデータを共有することができ、撮影者や撮影監督者等が推奨する画像データをポストプロダクションの場において再現することができる。
【００５３】
次に、ＥＩ、エフェクティブマーカ、ＡＳＣ−ＣＤＬに基づく処理について説明する。但し、本技術は以下の処理そのものに特徴を有するものではない。
【００５４】
（ＥＩを用いたゲイン調整）
次に、撮像装置１００およびポストプロダクション装置２００でのＥＩに基づく処理の例を説明する。
撮像装置１００において、第２のメタデータ取得部１１０のＥＩ取得部１１２は、照度計１１３より有線または無線で送信された測定値（ｄＢ）をリアルタイムに受信し、これを図３に示す表を用いてＥＩ（Exposure Index of Photo Meter）の値に変換する。表に示されるように、ＥＩは、"２００"から"３２００"までの範囲において決められる複数の整数値を少なくともカバーし、"８００"を基準値とする。
【００５５】
撮像装置１００およびポストプロダクション装置２００において増感／減感・ゲイン調整・カラースペース変換部（１０３，２０３）は、以下の式によってＲＡＷデータのホワイトの値に適用するゲインを算出する。
ＥＩ／イメージャ感度      ・・・（１）
したがって、第１のメタデータとして与えられたイメージャ感度（ISO Sensitivity）の値を"８００"、ＥＩを"１６００"としたとき、ＲＡＷデータのホワイトの値に適用するゲインの値として"２"が求められる。
【００５６】
図４は、増感／減感・ゲイン調整・カラースペース変換部（１０３，２０３）が画像データに割り当てるゲインを示すグラフである。ＲＡＷデータのブラックの値はカメライメージャ１０１のシャッタオフ時の値であることから照度依存性は無視することができるとしてゲインは"１"で固定である。ＲＡＷデータのホワイトの値に適用するゲインの値として"２"が上記の計算方法によって算出された場合、ブラックからホワイトまでの範囲のＲＡＷデータの値に対して"１"から"２"までの範囲のゲインが比例的に割り当てられる。
【００５７】
より具体的には、RAW Code Valueのブラックの値（固定値）が"５１２"、RAW Code Valueのホワイトの値（測定値）が"２９９２"とした場合、（２９９２−５１２）×２＝５４７２がゲイン調整されたホワイトの値となる。
【００５８】
以上のように本実施形態では、ＥＩを第２のメタデータとしてポストプロダクション装置２００に伝送するようにしたことによって、撮影者や撮影監督等が撮像装置１００に接続されたモニターで見ていた明るさの画像をポストプロダクション装置２００において再現することができる。これにより、ポストプロダクションの作業効率を向上させることができる。
【００５９】
［エフェクティブマーカを用いた処理］
次に、撮像装置１００およびポストプロダクション装置２００でのエフェクティブマーカに基づく処理を説明する。
エフェクティブマーカは、撮影者が意図したフレーミングを表現することを目的とするメタデータである。エフェクティブマーカは、図５に示すように、有効エリアマーカのペイロードの画枠に対する縮小率（長片の比率）を示すEffective Marker Coverageと、有効エリアマーカのアスペクト比を示すEffective Marker Aspect Ratioとからなる。第１のメタデータ取得部１１０は、グラフィカルユーザインタフェース（ＧＵＩ）１１４を通じてユーザより、マーカの縮小率の値を取得し、モニターの画面のアスペクト比との相関により、Effective Marker CoverageとEffective Marker Aspect Ratioを決定する。このエフェクティブマーカは第２のメタデータとして、伝送部１１１によってポストプロダクション装置２００にＲＡＷデータおよび第１のメタデータと共に伝送される。
【００６０】
図６に示すように、撮像装置１００では、エフェクティブマーカ合成部１０８が、第１のメタデータ取得部１１０によって取得されたエフェクティブマーカのメタデータをもとにビューファインダに表示された画像１２５にエフェクティブマーカのグラフィックス１３０を合成して表示させる。
一方、ポストプロダクション装置２００では、エフェクティブマーカ処理部２０６が、ＲＡＷデータ・メタデータ取得部２０１によって取得されたエフェクティブマーカのメタデータをもとに、画像データから有効エリアを切り出し、切り出された画像データをもとの解像度まで拡大する。
【００６１】
このように、エフェクティブマーカを第２のメタデータとしてポストロダクション装置２００に伝送するようにしたことによって、撮影者や撮影監督等が意図する有効エリアの切り出し処理などをポストプロダクション装置２００において迅速に行うことができる。これにより、ポストプロダクションの作業効率を向上させることができる。
【００６２】
［ＡＳＣ−ＣＤＬに基づく色修正］
次に、撮像装置１００およびポストプロダクション装置２００でのＡＳＣ−ＣＤＬに基づく色修正について説明する。
ＡＳＣ−ＣＤＬは、全米映画撮影監督協会（ＡＳＣ）によって定義された色調整のための情報である。ＡＳＣ−ＣＤＬでは、色をＲＧＢ毎にオフセット（入力ゼロ時の出力値）、スロープ（入出力のゲイン）、パワー（入出力のガンマーカブ特性）の３つのパラメータによって定義される。なお、ＡＳＣ−ＣＤＬに基づく色修正の詳細については、"ASC Color Decision List (ASC CDL) Transfer Functions and Interchange Syntax,ASC-CDL_Release1.2,Joshua Pines and David Reisner,2009-05-04"などに開示される。
【００６３】
撮像装置１００において、第１のメタデータ取得部１１０は、例えば、図７に示すように、グラフィカルユーザインタフェース（ＧＵＩ）１１４を用いてユーザより与えられた、ＲＧＢ毎のオフセット、スロープ、パワーの各値を取得し、これらを１つのまとめてＡＳＣ−ＣＤＬを作成する。図７のグラフィカルユーザインタフェース（ＧＵＩ）１１４においては、ＲＧＢ毎のオフセット、スロープ、パワーの各値は、スライドゲージまたはアップ／ダウンボタンを操作することによってそれぞれ個別にユーザが選択することができる。設定されたＡＳＣ−ＣＤＬは、画像表示エリア１３１に表示された画像にリアルタイムに反映されることで、ユーザは画像の色の変化を確認しながらＡＳＣ−ＣＤＬの設定を行うことができる。
【００６４】
このＡＳＣ−ＣＤＬは第２のメタデータとして、伝送部１１１によってポストプロダクション装置２００にＲＡＷデータおよび第１のメタデータと共に伝送される。これにより、撮影者や撮影監督等が意図する色修正をポストプロダクション装置２００の第２の色修正部２０５にて実行させることができ、この結果、ポストプロダクションの作業効率を向上させることができる。
【００６５】
以上、本技術に係る一実施形態を説明したが、本技術は次のような変形も可能である。
照度計１１３と撮像装置１００との通信にはワイヤレス通信を採用することが有益である。また、照度計１１３は撮像装置１００に一体に設けられていてもよい。
【００６６】
上記の一実施形態では、ＥＩ、エフェクティブマーカ、ＡＳＣ−ＣＤＬを第２のメタデータとして撮像装置１００からポストプロダクション装置２００に伝送することとしたが、ＥＩ、エフェクティブマーカ、ＡＳＣ−ＣＤＬのうち少なくともいずれか１つを第２のメタデータとして伝送するようにしてもよい。さらに、上記の一実施形態では、ＥＩ、エフェクティブマーカ、ＡＳＣ−ＣＤＬをポストプロダクション装置２００において自動的に現像に反映されることのないメタデータとして扱うこととしたが、ＥＩ、エフェクティブマーカ、ＡＳＣ−ＣＤＬのうち少なくともいずれか１つはポストプロダクション装置２００において自動的に現像に反映されるメタデータとして扱うように変更してもよい。
【００６７】
なお、本技術は、上述の実施形態にのみ限定されるものではなく、本発明の要旨を逸脱しない範囲内において種々変更を加え得ることは勿論である。
【００６８】
本技術は以下のような構成も採ることができる。
（１）撮像を行いＲＡＷデータを生成する撮像部と、
前記生成されたＲＡＷデータを補間により画像データに変換する第１の変換部と、
撮影環境の照度に対応した露出指標値を取得する取得部と、
前記画像データの値を前記露出指標値をもとに補正する第１の補正部と、
前記ＲＡＷデータと前記取得された露出指標値とを互いに関連付けて出力する出力部と
を具備する撮像装置。
（２）前記（１）に記載の撮像装置であって、
請求項１に記載の撮像装置であって、
前記取得部は、照度計からの測定値を取得して前記露出指標値に変換する照度取得部を有する
撮像装置。
（３）前記（１）から（２）のうちいずれか１つに記載の撮像装置であって、
前記取得部は、前記画像データのポストプロダクションのための有効エリアに関する情報をさらに取得し、
前記出力部は、前記ＲＡＷデータと前記取得された有効エリアに関する情報とを互いに関連付けて出力する
撮像装置。
（４）前記（１）から（３）のうちいずれか１つに記載の撮像装置であって、
前記取得部は、前記画像データの色修正のための情報をさらに取得し、
前記出力部は、前記ＲＡＷデータと前記取得された色修正のための情報とを互いに関連付けて出力する
撮像装置。
（５）前記（１）から（４）のうちいずれか１つに記載の撮像装置であって、
前記色修正のための情報はＡＳＣ−ＣＤＬ（The American Society of Cinematographers Color Decision List）である
撮像装置。
（６）撮像装置より出力されたＲＡＷデータおよびこのＲＡＷデータに関連する露出指標値とを入力する入力部と、
前記ＲＡＷデータを補間により画像データに変換する第２の変換部と、
前記画像データの値を前記露出指標値をもとに補正する第２の補正部と
を具備する画像処理装置。
（７）前記（６）に記載の画像処理装置であって、
前記入力部は、前記画像データのポストプロダクションのための有効エリアに関する情報をさらに入力し、
前記有効エリアに関する情報をもとに前記画像データから前記有効エリアに相当する部分を切り出す切り出し部を
さらに具備する画像処理装置。
（８）前記（６）から（７）のうちいずれか１つに記載の画像処理装置であって、
前記入力部は、前記画像データの色修正のための情報をさらに入力し、
前記色修正のための情報をもとに前記画像データの色修正を行う色修正部を
さらに具備する画像処理装置。
（９）前記（６）から（８）のうちいずれか１つに記載の画像処理装置であって、
前記色修正のための情報はＡＳＣ−ＣＤＬ（The American Society of Cinematographers Color Decision List）である
画像処理装置。
【符号の説明】
【００６９】
１００…撮像装置
１０１…カメライメージャ
１０２…ＲＡＷファイル書き出し部
１０３…第１のディベイヤ処理部
１０４…増感／減感・ゲイン調整・カラースペース変換部
１０５…第１のＩＤＴ処理部
１０６…第１の色修正部
１０７…第１のＯＤＴ処理部
１０８…エフェクティブマーカ合成部
１０９…第１のメタデータ取得部
１１０…第２のメタデータ取得部
１１１…伝送部
１１２…ＥＩ取得部
１１３…照度計
１１４…グラフィカルユーザインタフェース
２００…ポストプロダクション装置
２０１…ＲＡＷデータ・メタデータ取得部
２０２…第２のディベイヤ処理部
２０３…増感／減感・ゲイン調整・カラースペース変換部
２０４…第２のＩＤＴ処理部
２０５…第２の色修正部
２０６…エフェクティブマーカ処理部
２０７…第２のＯＤＴ処理部
【図１】
2018201250.tif 000003
【図２】
2018201250.tif 000004
【図３】
2018201250.tif 000005
【図４】
2018201250.tif 000006
【図５】
2018201250.tif 000007
【図６】
2018201250.tif 000008
【図７】
2018201250.tif 000009
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
撮像を行いＲＡＷデータを生成する撮像部と、
前記撮像時に自動的に生成される第１のメタデータを取得する第１のメタデータ取得部と、
前記撮像後に表示部に表示された前記ＲＡＷデータに基づく画像に対してユーザにより設定された情報を含む第２のメタデータを取得する第２のメタデータ取得部と、
前記取得された第１のメタデータおよび前記第２のメタデータを前記ＲＡＷデータと関連付けて保存する保存部とを備える
撮像装置。
【請求項２】
前記ＲＡＷデータに基づく画像に対する設定としてユーザが選択するための情報が、前記ＲＡＷデータに基づく画像とともに前記表示部に表示される
請求項１に記載の撮像装置。
【請求項３】
前記ＲＡＷデータに基づく画像に対する設定としてユーザにより選択された情報とともに、前記ユーザにより選択された情報が反映された画像が前記表示部に表示される
請求項２に記載の撮像装置。
【請求項４】
前記ユーザが選択するための情報に対するユーザ操作に応じて、前記ユーザ操作がリアルタイムに反映された画像が前記表示部に表示される
請求項２に記載の撮像装置。
【請求項５】
前記第２のメタデータ取得部は、ユーザによるボタン操作により前記第２のメタデータを取得する
請求項１から４のうちいずれかの１つに記載の撮像装置。
【請求項６】
前記第２のメタデータ取得部は、ユーザによるアップ／ダウンボタン操作により前記第２のメタデータを取得する
請求項５に記載の撮像装置。
【請求項７】
前記第２のメタデータは、外部の画像処理装置での画像処理のための情報である
請求項１から６のうちいずれかの１つに記載の撮像装置。
【請求項８】
前記画像に対してユーザにより設定された情報は、ＡＳＣ−ＣＤＬ（The American Society of Cinematographers Color Decision List）である
請求項１から７のうちいずれかの１つに記載の撮像装置。
【請求項９】
前記第２のメタデータ取得部は、前記ＲＡＷデータに基づく画像の有効エリアに関する情報を前記第２のメタデータとして取得する
請求項１から８のうちいずれかの１つに記載の撮像装置。
【請求項１０】
前記第２のメタデータ取得部は、照度計からの測定値を取得して露出指標値に変換する照度取得部を有する
請求項１から９のうちいずれかの１つに記載の撮像装置。
【請求項１１】
前記第２のメタデータは、前記外部の画像処理装置において表示するための画像データに対して自動的に反映される
請求項７に記載の撮像装置。
【請求項１２】
前記ＲＡＷデータに対して補間処理を行う変換部をさらに有する
請求項１から１１のうちいずれかの１つに記載の撮像装置。
【請求項１３】
前記ＲＡＷデータに基づく画像の色を修正するための処理を行う色修正部をさらに有する
請求項１から１１のうちいずれかの１つに記載の撮像装置。
【請求項１４】
前記色修正部は、前記画像に対してユーザにより設定された情報を含む前記第２のメタデータをもとに、前記ＲＡＷデータに基づく画像の色を修正するための処理を行う
請求項１３に記載の撮像装置。
【請求項１５】
撮像部の撮像により生成されたＲＡＷデータを取得し、
第１のメタデータ取得部が、前記撮像時に自動的に生成される第１のメタデータを取得し、
第２のメタデータ取得部が、前記撮像後に表示部に表示された前記ＲＡＷデータに基づく画像に対してユーザにより設定された設定情報を第２のメタデータとして取得し、
前記取得された第１のメタデータおよび前記第２のメタデータを前記ＲＡＷデータと関連付けて保存する
画像処理方法。